(57)【要約】【課題】グリップにボトルを締め付けによる方法で取り付けられるようにすることにより、該グリップの成形を容易にすると共に、ボトルの取り付けを確実して液漏れが生じないようにする。【解決手段】片手だけで握るのに適した長さ及び太さを有する棒状の握持部２と、内部に重りを入れた合成樹脂製ボトル２０を着脱自在に取り付けるため前記握持部２の軸線方向の両端に形成されたボトル取付部３とを有し、該ボトル取付部３は、前記ボトル２０の口部２４側の端部を嵌合させるための径が大小に変化する筒状の嵌合部１０と、該嵌合部１０の外周に軸線方向に進退動自在に嵌着された固定部材４とを有し、該固定部材を進退動させて前記嵌合部１０の径を大小に変化させることにより、前記ボトル２０の口部２４側の端部外周を外側から締め付けて固定したり締め付けを解除して取り外したりするようにする。【選択図】図２
2012231976.tif 000002
【特許請求の範囲】
【請求項１】
片手だけで握るのに適した長さ及び太さを有する棒状の握持部と、内部に重りを入れた合成樹脂製のボトルを着脱自在に取り付けるため前記握持部の軸線方向の両端に形成されたボトル取付部とを有し、
前記ボトル取付部は、前記ボトルの口部側の端部を嵌合させるための径が大小に変化する筒状の嵌合部と、該嵌合部の外周に軸線方向に進退動自在に嵌着された固定部材とを有し、該固定部材を進退動させて前記嵌合部の径を大小に変化させることにより、前記ボトルの口部側の端部外周を外側から締め付けて固定したり締め付けを解除して取り外したりするように構成されている、
ことを特徴とするアレイ用グリップ。
【請求項２】
前記嵌合部は、軸線方向に延びる複数の切り込みで区分された複数の締付片を有し、各締付片の内面に、前記ボトルの口部側の端部外周に形成された鍔部に係止して該ボトルを抜止状態に固定する係止縁が形成されていることを特徴とする請求項１に記載のアレイ用グリップ。
【請求項３】
前記固定部材はナットになっており、前記嵌合部の基端部外周に形成された雄ねじに該固定部材が螺着していることを特徴とする請求項１又は請求項２に記載のアレイ用グリップ。
【請求項４】
合成樹脂製のグリップと、該グリップと別形成された合成樹脂製のボトルとからなり、  前記グリップは、片手だけで握るのに適した長さ及び太さを有する棒状の握持部と、該握持部の軸線方向の両端に該握持部と一体に形成されたボトル取付部とからなり、
前記ボトル取付部は、前記ボトルの口部側の端部を嵌合させるための径が大小に変化する筒状の嵌合部と、該嵌合部の外周に軸線方向に進退動自在に嵌着された固定部材とを有し、該固定部材を進退動させて前記嵌合部の径を大小に変化させることにより、前記ボトルの端部外周を外側から締め付けて固定したり締め付けを解除して取り外したりするように構成され、
前記ボトルは、内部に重りを入れて前記グリップのボトル取付部に着脱自在に取り付けられている、
ことを特徴とするアレイ。
【請求項５】
前記嵌合部は、軸線方向に延びる複数の切り込みで区分された複数の締付片を有し、各締付片の内面に、前記ボトルの口部側の端部外周に形成された鍔部に係止して該ボトルを抜止状態に固定する係止縁が形成されていることを特徴とする請求項４に記載のアレイ。
【請求項６】
前記固定部材はナットになっており、前記嵌合部の基端部外周に形成された雄ねじに該固定部材が螺着していることを特徴とする請求項４又は請求項５に記載のアレイ。
【発明の詳細な説明】
【技術分野】
【０００１】
本発明は、内部に重りを入れた合成樹脂製のボトルを両端に取り付けることによってアレイを形成することができるアレイ用グリップに関するものであり、また、グリップに合成樹脂製ボトルを取り付けて形成したアレイに関するものである。
【背景技術】
【０００２】
鉄製或いは木製のアレイが、一般家庭において腕等の筋肉をトレーニングするために使用される例は多い。このようなアレイは、不使用時に部屋の隅などに置いておくのが普通であるが、アレイが部屋に置いてあると、室内の美観を損ねたり違和感を覚えたりすることがあり、また、掃除をするときの邪魔になりやすい。アレイ特に鉄製のアレイは相当の重さがあるため、女性がそれを他の場所に移動させながら掃除するのはかなりの重労働である。
【０００３】
このような問題を解決できるものとして、特許文献１−特許文献３には、ペットボトルのような合成樹脂製の空きボトルを再利用する運動用具が開示されている。この運動用具は、合成樹脂製のグリップの両端に、雌ねじを内周に有するキャップ状のボトル取付部を形成し、水や砂等の重りを入れたボトルの口部を前記ボトル取付部内にねじ込むことにより該ボトルを取り付け、ダンベル等として使用するものである。
【０００４】
しかし、前記従来の運動用具は、前記ボトル取付部の内周の雌ねじにボトルの口部外周の雄ねじを螺合させるねじ込み式のものであるため、ダンベルとして使用するときの振動や衝撃等でボトルが少しでも回転すると、取り付け状態が緩んで液漏れを生じたり、ボトルががたついて脱落し易いなどの欠点がある。しかも、前記ボトル取付部には、キャップを取り外した状態のボトルしか取り付けることができない。
【先行技術文献】
【特許文献】
【０００５】
【特許文献１】特開平１１−１６５１５８号公報
【特許文献２】特開２０００−３４２７１２号公報
【特許文献３】特開２００１−８７４１４号公報
【発明の概要】
【発明が解決しようとする課題】
【０００６】
本発明の目的は、グリップに対するボトルの取り付けを、該ボトルを外部から締め付ける方法で行うことにより、該ボトルの取り付けを確実にして液漏れや脱落等が生じないようにすると共に、キャップ付きのボトルも取り付けられるようにすることにある。
【課題を解決するための手段】
【０００７】
前記目的を達成するため、本発明に係るアレイ用グリップは、片手だけで握るのに適した長さ及び太さを有する棒状の握持部と、内部に重りを入れた合成樹脂製のボトルを着脱自在に取り付けるため前記握持部の軸線方向の両端に形成されたボトル取付部とを有し、該ボトル取付部は、前記ボトルの口部側の端部を嵌合させるための径が大小に変化する筒状の嵌合部と、該嵌合部の外周に軸線方向に進退動自在に嵌着された固定部材とを有し、該固定部材を進退動させて前記嵌合部の径を大小に変化させることにより、前記ボトルの口部側の端部外周を外側から締め付けて固定したり締め付けを解除して取り外したりするように構成されていることを特徴とする。
【０００８】
また、本発明に係るアレイは、合成樹脂製のグリップと、該グリップと別形成された合成樹脂製のボトルとからなり、前記グリップは、片手だけで握るのに適した長さ及び太さを有する棒状の握持部と、該握持部の軸線方向の両端に該握持部と一体に形成されたボトル取付部とからなり、該ボトル取付部は、前記ボトルの口部側の端部を嵌合させるための径が大小に変化する筒状の嵌合部と、該嵌合部の外周に軸線方向に進退動自在に嵌着された固定部材とを有し、該固定部材を進退動させて前記嵌合部の径を大小に変化させることにより、前記ボトルの口部側の端部外周を外側から締め付けて固定したり締め付けを解除して取り外したりするように構成され、前記ボトルは、内部に重りを入れて前記グリップのボトル取付部に着脱自在に取り付けられていることを特徴とする。
【０００９】
本発明の好ましい実施形態によると、前記嵌合部は、軸線方向に延びる複数の切り込みで区分された複数の締付片を有し、各締付片の内面に、前記ボトルの口部側の端部外周に形成された鍔部に係止して該ボトルを抜止状態に固定する係止縁が形成されている。
また、前記固定部材はナットになっており、前記嵌合部の基端部外周に形成された雄ねじに該固定部材が螺着している。
【発明の効果】
【００１０】
本発明によれば、グリップの両端の嵌合部内にボトルの口部側の端部を挿入し、固定部材を変位させて前記嵌合部の径を縮小させることにより前記ボトルの口部側の端部を外側から締め付けて固定するようにしたので、グリップに対するボトルの取り付けが確実になり、ダンベルとして使用するときの振動や衝撃等で該ボトルの取り付け状態が緩んで液漏れしたり脱落したりする心配がない。
【図面の簡単な説明】
【００１１】
【図１】本発明の第１実施形態に係るアレイ用グリップの正面図である。
【図２】本発明の第１実施形態に係るアレイ用グリップの構造を、一部の固定部材を取り外した状態で説明する斜視図である。
【図３】本発明の第１実施形態に係るアレイ用グリップの構造を説明する図２の断面図である。
【図４】本発明の第１実施形態に係るアレイ用グリップにキャップ付きのペットボトルを取り付けた場合の、ボトル取付部の状態を説明する要部断面図である。
【図５】本発明に係るアレイ用グリップの両端にペットボトルを取り付けて形成されたアレイの正面図である。
【図６】本発明の第２実施形態に係るアレイ用グリップにキャップの無いペットボトルを取り付けた場合の、ボトル取付部の状態を説明する要部断面図である。
【発明を実施するための形態】
【００１２】
本発明に係るアレイ用グリップは、内部に水や砂等の重りを入れた合成樹脂製のボトルを両端に取り付けてアレイを形成するものである。以下の実施形態では、前記ボトルとして、清涼飲料水等が入れられていたペットボトルの空きボトルを利用する場合であって、キャップ付きのボトルを使用する場合と、キャップの無いボトルを使用する場合とについて説明する。
【００１３】
図１〜図３は、本発明の第１実施形態に係るアレイ用グリップ１の構造を説明する図であり、図２は該グリップ１の斜視図、図３は該グリップ１の断面図である。第１実施形態に係るグリップ１は、合成樹脂製のボトル２０として、図４に示すように、口部２４にキャップ２１が取り付けられたキャップ付きのペットボトルを取り付けるものである。
【００１４】
図１〜図３に示されるように、第１実施形態に係るグリップ１は、片手だけで握るのに適した長さ及び太さを有する棒状の握持部２と、該握持部２の軸線Ｌ方向の両端に形成されたボトル取付部３とを有している。
前記ボトル取付部３は、前記ボトル２０を取り付けるためのもので、径を大小に変化させることにより該ボトル２０の口部２４側の端部を嵌合、固定する筒状の嵌合部１０と、該嵌合部１０の外周に嵌着されて握持部２の軸線Ｌ方向に進退動自在の筒状の固定部材４とを有している。
【００１５】
前記握持部２と嵌合部１０とは合成樹脂により一体に形成され、前記固定部材４は、合成樹脂により前記握持部２及び嵌合部１０と別体に形成されている。
前記グリップ１は、前記固定部材４の位置を軸線Ｌ方向に変化させることによって嵌合部１０の径を大小に変化させ、それによって前記ボトル２０の固定及び取り外しを行うものである。
【００１６】
前記握持部２は、図１〜図３の例では円柱形状で内部に補強用のリブ２ａを有する構成となっており、片手だけで握るのに適した長さ及び太さを有し、その好ましい直径は３０〜４０ｍｍ程度、より好ましくは３５ｍｍ程度であり、好ましい長さは９０〜１２０ｍｍ程度である。また、前記固定部材４の軸線Ｌ方向の長さは、前記嵌合部１０の軸線Ｌ方向の長さと同じかそれ以上であることが望ましい。
前記握持部２と嵌合部１０とは、それを軸線Ｌに沿って２分割した形の２つの部品に分けて成形し、該２つの部品を接着剤で相互に接着したりフックと係止孔とを係止させたりする方法で相互に結合することにより、形成することができる。
【００１７】
図２及び図３に示されるように、前記嵌合部１０の内外径は、該嵌合部１０の先端部に近づくほど大きくなっており、その径を大小に変化させることができるようにするため、該嵌合部１０には、軸線Ｌ方向に延びる複数の切り込み１３が設けられている。該複数の切り込み１３で区分されたそれぞれの部分は締付片１１となっており、各締付片１１の先端部内面には、前記ボトル２０の口部２４側の端部外周に形成された鍔部２２に係止する係止縁１２が設けられている。
【００１８】
図３に示されるように、筒状をした前記嵌合部１０の底部内周面即ち前記握持部２側に寄った位置の内周面には、前記締付片１１の変形を容易にするため環状の第１の凹部１４が設けられており、該第１の凹部１４の位置で嵌合部１０の内径が局部的に大きくなっている。また、前記嵌合部１０の内径は、前記第１の凹部１４から該嵌合部１０の端部側に向けて次第に大きくなっている。
そして、前記係止縁１２に隣接する位置に、嵌合部１０の第２の凹部１５が設けられており、該第２の凹部１５の位置で嵌合部１０の内径が局部的に大きくなっている。
【００１９】
更に、前記係止縁１２の位置で前記締付片１１の先端は、嵌合部１０の内側に向けて鉤状に折れ曲がったような形をなしており、該係止縁１２の位置で嵌合部１０の内径は、隣接する第２の凹部１５の内径よりも小さくなっている。後述するように、前記第２の凹部１５はボトル２０の口部２４にある鍔部２２を収容するために設けられたものであり、前記係止縁１２は該鍔部２２に係止して該ボトル２０を固定する役目を果たすものである。
【００２０】
図２及び図３に示されるように、前記嵌合部１０の基端部外周の握持部２に隣接する位置には雄ねじ１６が設けられ、この雄ねじ１６に前記固定部材４の内周に設けられた雌ねじ４ａが螺合し、該固定部材４を回転させることによって該固定部材４が前記嵌合部１０に沿って軸線Ｌ方向に進退動するようになっている。そして、前記固定部材４を握持部２の側に後退させると、前記締付片１１が弾性復元力により外周側に拡がって嵌合部１０の径は大きくなり、図４のように前記固定部材４をグリップ１の先端側に前進させると、前記締付片１１が固定部材４により内側に押されて嵌合部１０の径は小さくなる。即ち、前記固定部材４はナットとして作用している。前記雄ねじ１６の一部は握持部２の端部外周に位置していても良い。
このように前記グリップ１は、前記固定部材４を回転させて該固定部材４を進退動させることにより、前記嵌合部１０の径を大小に変化させて前記ボトル２０の固定及び取り外しを行うものである。
【００２１】
図４は、前記グリップ１にキャップ２１付きのボトル２０を取り付けた場合の、ボトル取付部３の状態を説明する断面図である。
【００２２】
前記グリップ１のボトル取付部３に前記キャップ２１付きのボトル２０を取り付ける際には、前記固定部材４を回転させて該固定部材４を握持部２の中央側即ち嵌合部１０の基端側に移動させ（図３の右側の固定部材４参照）、嵌合部１０の締付片１１を外周側に拡げて嵌合部１０の径を大きくし、その状態で前記ボトル２０のキャップ２１が取り付けられた口部２４側の端部を嵌合部１０内に挿入する。このとき、該ボトル２０の鍔部２２が嵌合部１０の係止縁１２よりも握持部２の側に位置するまで該ボトル２０を前記嵌合部１０に挿入する。
【００２３】
それから、図４に示されるように、前記固定部材４を回転させて該固定部材４を嵌合部１０の先端側に向けて前進させることにより、ボトル２０をグリップ１のボトル取付部３に固定する。この状態では、前記固定部材４が各締付片１１を外側から押圧することにより各締付片１１が内側に集束し、キャップ２１の側面外周に当接して該キャップ２１を外側から挟持している。また、ボトル２０の鍔部２２が前記締付片１１の先端の第２の凹部１５内に嵌合すると共に、各締付片１１の係止縁１２が該鍔部２２の側面にグリップ１の外側から係止することにより、前記ボトル２０が外側に抜け出すのが防止されている。
【００２４】
このようにしてグリップ１の両端のボトル取付部３にキャップ２１付きのボトル２０を取り付けて固定することにより、図５に示されるようなアレイ３０が形成される。
【００２５】
そして、前記アレイ３０のグリップ１の握持部２を手で握り、該アレイ３０を上下動等させることによって、腕等の筋肉を鍛えることができる。
前記アレイ３０の重さは、ボトル２０の容体２３内に入れる重りの重さによって調節することができる。例えば、ボトル２０に入れる水の量や砂の量を調節することにより、アレイ３０の重さの調節をすることができる。
【００２６】
前記アレイ３０の不使用時には、前記グリップ１の両端からボトル２０を取り外すことにより、該グリップ１とボトル２０とをコンパクトにまとめて収納場所に収納することができる。この場合、前記ボトル２０にはキャップ２１が取り付けられているため、該ボトル２０をグリップ１から取り外したとき内部の水や砂等を捨る必要がなく、充填したままグリップ１と一緒に収納することができ、次に使用する際にそのままグリップに取り付けるだけで良い。
【００２７】
次に、図６により、本発明の第２実施形態に係るグリップ１Ａについて説明する。
【００２８】
この第２実施形態に係るグリップ１Ａは、合成樹脂製のボトルとして、キャップを取り外したボトル２０Ａを取り付けることができるものである。このグリップ１Ａでは、嵌合部１０の第１の凹部１４にゴム製あるいは合成樹脂製の環状あるは板状をしたシール部材１７を嵌め込んである。そして、該シール部材１７にボトル２０Ａの口部２４の先端を押し付けて密着させた状態で該ボトル２０Ａを取り付けるものである。これにより、ボトル２０Ａ内に入れた水や砂等が、アレイ３０を動かした際に該ボトル２０Ａの外部に漏れるのを防ぐことができる。
【００２９】
前記第２実施形態に係るグリップ１Ａのこれ以外の構成は前記第１実施形態に係るグリップ１と実質的に同じであるので、それらの同一構成部分に第１実施形態と同一の符号を付してその詳細な説明は省略する。
【００３０】
次に、前記第２実施形態のグリップ１Ａのボトル取付部３にボトル２０Ａを取り付ける手順について説明する。図６は、グリップ１にキャップの無い前記ボトル２０Ａを取り付けて固定した場合の、ボトル取付部３の状態を説明する断面図である。
【００３１】
第１実施形態の場合と同様に、先ず、固定部材４を回転させて該固定部材４を嵌合部１０の基端部側即ち握持部２側に移動させ、該嵌合部１０の締付片１１を外周方向に拡げて嵌合部１０の径を大きくする。この状態で前記ボトル２０Ａの口部２４側の端部を嵌合部１０に挿入する。そして、ボトル２０Ａの鍔部２２を係止縁１２の先端の第２の凹部１５内に嵌合させると共に、口部２４の先端を前記シール部材１７に当接させて密着させる。
【００３２】
それから、固定部材４を回転させて該固定部材４を嵌合部１０の先端部側に移動させることにより、各締付片１１を内側に変形、集束させて該嵌合部１０の径を小さくし、該締付片１１でボトル２０Ａの口部２４に形成されている雄ねじ２５の外周を外側から挟持させると共に、各締付片１１の先端の係止縁１２を該ボトル２０Ａの鍔部２２の外面に係止させることにより、該ボトル２０Ａを固定する。
このとき、前記係止縁１２の内側面を、前記締付片１１の先端側にいくほど次第に軸線Ｌに近づく方向に傾斜する傾斜面１２ａとしておくことにより、該傾斜面１２ａで前記鍔部２２を嵌合部の奥側に向けて押圧することができるので、ボトル２０Ａの口部２４の先端を前記シール部材１７に圧接させることができる。
【００３３】
このようにしてグリップ１Ａの両端のボトル取付部３に前記キャップの無いボトル２０Ａを取り付けることにより、図５に示されるようなアレイ３０が形成される。このアレイ３０は第１実施形態のアレイと同様に使用することができ、グリップ１の握持部２を手で握りアレイ３０を上下動等させることによって、腕等の筋肉を鍛えることができる。
前記係止縁１２の内側面の傾斜面１２ａは、前記第１実施形態における締付片１１の係止縁１２にも適用することができ、これにより、キャップ２１の先端を嵌合部１０の奥壁に押し付けた状態で固定することが可能である。
【００３４】
以上、本発明の第１実施形態及び第２実施形態について説明したが、本発明に係るグリップ１，１Ａはこれらに限定されることはない。
【００３５】
例えば、前記固定部材４はナットである必要がない。即ち、握持部２の両端に雄ねじ１６が無く、固定部材４の内側に雌ねじ４ａが無い構成として、固定部材４を嵌合部１０に沿って軸線Ｌ方向にスライド式に移動させるようにしてもよい。そして、グリップ１のボトル取付部３にボトル２０，２０Ａを取り付ける際には、先ず固定部材４を握持部２の側に後退させて締付片１１を弾力的に外周方向に拡げておく。そして、ボトル２０Ａを第１実施形態又は第２実施形態と同じ要領で、嵌合部１０に挿入する。それから、固定部材４を嵌合部１０の先端側に前進させることにより、ボトル取付部３にボトル２０，２０Ａを固定する。
この場合に前記固定部材４は、摩擦力で前進位置に係止させるようにしても、該前進位置で該固定部材４と嵌合部１０とに設けたフックとフック受けとが相互に係止することで該固定部材４が前記前進位置に固定されるようにしても良い。
【符号の説明】
【００３６】
１        グリップ
２        握持部
３        ボトル取付部
４        固定部材
１０      嵌合部
１１      締付片
１２      係止縁
１３      切り込み
１４      第１の凹部
１５      第２の凹部
１６      雄ねじ
１７      シール部材
２０，２０Ａ      ボトル
２１      キャップ
２２      鍔部
２３      容体
２４      口部
２５      雄ねじ
Ｌ      軸線
【図１】
2012231976.tif 000003
【図２】
2012231976.tif 000004
【図３】
2012231976.tif 000005
【図４】
2012231976.tif 000006
【図５】
2012231976.tif 000007
【図６】
2012231976.tif 000008